(57)【要約】【課題】  種々のベルトクリップ付きコンベックスに着脱可能に装着することができるようにしたコンベックス用フックを提供する。【解決手段】  全体が平坦に形成された本体１１から成ると共に、本体の長手方向の一端１１ａにフック部２０を、また他端１１ｂに係合部３０を備えており、フック部２０が、一側に開放部２２を備えたフック本体２１と、開放部を閉じるよう内側に揺動可能に支持され且つ外側に向かって付勢されて閉鎖位置で開放部を閉鎖するゲートバー２３と、から構成されていて、係合部３０が、他端の外周の内側に備えられた係合孔３１と、係合孔を横方向に横切る挟持部３２と、から構成されており、コンベックス４０のベルトクリップ４１が係合孔３１内に挿入され、且つ挟持部３２を挟持することにより、本体１１がコンベックスの側面に対して固定保持されるように、コンベックス用フック１０を構成する。【選択図】図１
2020026978.tif 000002
【特許請求の範囲】
【請求項１】
側面に板バネ製のベルトクリップを備えたコンベックスに対して着脱可能に取り付けられるコンベックス用フックであって、
全体が平坦に形成された本体から成ると共に、前記本体の長手方向の一端にフック部を、また他端に係合部を備えており、
前記係合部が、前記他端の外周の内側に備えられた係合孔と、前記係合孔を横方向に横切る挟持部と、から構成されており、
前記コンベックスのベルトクリップが前記係合孔内に挿入され、且つ前記挟持部を挟持することにより、前記本体が前記コンベックスの側面に対して固定保持されることを特徴とする、コンベックス用フック。
【請求項２】
前記フック部が、一側に開放部を備えたフック本体と、前記開放部を閉じるよう内側に揺動可能に支持され且つ外側に向かって付勢されて閉鎖位置で前記開放部を閉鎖するゲートバーと、から構成されていることを特徴とする、請求項１に記載のコンベックス用フック。
【請求項３】
前記挟持部が、前記他端に向かって肉薄になるように傾斜して形成されていることを特徴とする、請求項１または２に記載のコンベックス用フック。
【請求項４】
前記挟持部が、複数種類の幅の異なるベルトクリップに対応して、横方向に関して両側から内側に向かって段階的に薄くなるように形成された少なくとも一組の段部を備えていることを特徴とする、請求項１から３の何れかに記載のコンベックス用フック。
【請求項５】
前記本体が、ガラス繊維強化樹脂から構成されていることを特徴とする、請求項１から４の何れかに記載のコンベックス用フック。
【発明の詳細な説明】
【技術分野】
【０００１】
本発明は、コンベックスに着脱可能に取り付けられるコンベックス用フックに関するものである。
【背景技術】
【０００２】
従来、例えば建築現場や測量業務の現場では、作業用の巻き尺として、所謂コンベックスが広く使用されている。
このようなコンベックスは、作業現場で頻繁に利用することが多いことから、作業員の腰袋や作業服のポケットに収容され、作業員は、コンベックス使用時に、腰袋やポケットからコンベックスを取り出して使用している。
【０００３】
ところで、このような腰袋やポケットには、他の工具等も収容されていることから、作業者は、腰袋やポケット内を手さぐりでコンベックスを探し出して、取り出すようにしている。
このため、コンベックスを取り出すために時間がかかってしまうと共に、コンベックスを取り出す際に、他の工具がコンベックスと一緒に取り出されてしまうことがある。
【０００４】
これに対して、コンベックスの本体側面にバネ製のベルトクリップを備えたコンベックスも市販されている。
ベルトクリップ付きコンベックスは、不使用時には、作業員は、このベルトクリップを、自分の作業服の腰ベルトに差し込むことにより、コンベックスを携帯することができる。
【０００５】
しかしながら、このようなベルトクリップにより作業員の腰ベルトに差し込む方式では、ベルトクリップが腰ベルトから外れて、コンベックスが落下してしまうおそれがある。
【０００６】
また、コンベックス自体に、上述した作業員の腰ベルトにワンタッチで固定することができる取付器具を備えつけて、不使用時に、コンベックスを腰ベルトにワンタッチで取り付けるようにした取付器具付きのコンベックスも市販されている。
【０００７】
このような取付器具は、市販のコンベックス自体に付属品として備えられているもので、取付器具のみ別売されないことが多く、またコンベックスのメーカー毎に仕様が異なることから、他社製のコンベックスに装着することができなかった。このため、コンベックスが故障したり破損した場合、コンベックスを買い換えると、元のコンベックスに付属していた取付器具を利用することができず、また取付器具付きのコンベックスを購入する必要があった。
さらに、取付器具自体が故障したり破損した場合には、取付器具のみを購入することができず、コンベックスも新たに購入しなければならないこともあった。
【０００８】
また、特許文献１に示すように、コンベックスのカンチレバークリップ（ベルトクリップに相当）にカラビナが固定されたコンベックスも市販されている。
このコンベックスによれば、カラビナを作業員の腰ベルト等に容易に且つ確実に着脱可能に取り付けることができる。
しかしながら、このようなカラビナを備えたコンベックスにおいては、カラビナ自体は、コンベックスの本体に固定されており、カラビナを他の（特に他社の）コンベックスに取り付けることは困難である。
【０００９】
これに対して、特許文献２には、コンベックス本体と、コンベックス本体に取り付けられたベルトクリップ（爪部）に着脱可能に環形状のハンガーと、から構成されている。
このコンベックスによれば、市販のベルトクリップ付きコンベックスに対して、ハンガーを取り付けることにより、容易に且つ低コストで構成され得ることになる。
【先行技術文献】
【特許文献】
【００１０】
【特許文献１】特表２０１８−５０９５８８号公報
【特許文献２】実用新案登録第３１５２６８４号公報
【発明の概要】
【発明が解決しようとする課題】
【００１１】
しかしながら、特許文献２によるコンベックスにおいては、ハンガーが環形状に形成されており、開口部を備えていないことから、このハンガーを吊り下げる相手方のツールフックは、開放可能な例えばカラビナ状のツールフックに限定されてしまう。
【００１２】
さらに、特許文献２によるコンベックスにおいては、ハンガーのベルトクリップ側の部分が、ベルトクリップの幅より僅かに長い直線部を備えることによって、ベルトクリップに対して横方向にずれないようになっているが、種々のメーカーから市販されているコンベックスにおいては、ベルトクリップの幅も多様であり、前述したハンガーの直線部の長さがベルトクリップの幅に対して大きい場合には、ハンガーが横方向に動いてしまい、ガタツキが生ずると共に、ハンガーの直線部の長さがベルトクリップより小さい場合には、ハンガーをベルトクリップに取り付けることができなくなってしまう。
【００１３】
本発明は、以上の点に鑑み、種々のベルトクリップ付きコンベックスに着脱可能に装着することができるようにしたコンベックス用フックを提供することを目的としている。
【課題を解決するための手段】
【００１４】
上記目的は、本発明の構成によれば、側面に板バネ製のベルトクリップを備えたコンベックスに対して着脱可能に取り付けられるコンベックス用フックであって、全体が平坦に形成された本体から成ると共に、本体の長手方向の一端にフック部を、また他端に係合部を備えており、フック部が、一側に開放部を備えたフック本体と、開放部を閉じるよう内側に揺動可能に支持され且つ外側に向かって付勢されて閉鎖位置で開放部を閉鎖するゲートバーと、から構成されていて、係合部が、他端の外周の内側に備えられた係合孔と、係合孔を横方向に横切る挟持部と、から構成されており、コンベックスのベルトクリップが係合孔内に挿入され、且つ挟持部を挟持することにより、本体がコンベックスの側面に対して固定保持されることを特徴とする、コンベックス用フックにより、達成される。
【００１５】
上記構成によれば、本体をコンベックスのベルトクリップが取り付けられた側面に合わせて、係合部内にベルトクリップを挿入し、ベルトクリップの開口部内に挟持部を嵌入させ、挟持部をベルトクリップの開口部内に押し込むことにより、挟持部がベルトクリップにより挟持され、固定保持され得る。
【００１６】
これにより、コンベックス用フックは、ベルトクリップに対してガタツキなしに固定保持されることになる。
この状態から、本コンベックス用フックの一端に備えられたフック部が、例えば作業員の腰ベルト等の取付金具に対して、コンベックスが容易に作業員の腰ベルト等の取付金具に着脱可能に取り付けられ得る。
【００１７】
そして、作業員の腰ベルト等の取付金具にフック部が装着された状態において、コンベックス本体は、腰ベルト等の取付金具から吊り下げられることになる。従って、作業員の移動の際に、コンベックス本体が何らかの物に当たったとしても、コンベックス本体は、フック部を中心として揺動することになり、コンベックス本体に対する衝撃が和らげられるので、コンベックス本体の破損が低減されることになる。
【００１８】
また、本コンベックス用フックをコンベックスのベルトクリップから取り外す場合には、挟持部がベルトクリップの開口部から脱出するように、本体をベルトクリップそしてコンベックスに対して押動することにより、挟持部がベルトクリップの挟持力に抗して、その開口部から外れ、係合孔からコンベックスのベルトクリップを離脱させることにより、本コンベックス用フックがコンベックスのベルトクリップから容易に取り外され得る。
【００１９】
このようにして、本コンベックス用フックは、ベルトクリップ付きコンベックスであれば、何れのメーカーのものであっても、そのベルトクリップに対して着脱可能に取り付けることができる。
【００２０】
本発明によるコンベックス用フックは、好ましくは、フック部が、一側に開放部を備えたフック本体と、開放部を閉じるよう内側に揺動可能に支持され且つ外側に向かって付勢されて閉鎖位置で開放部を閉鎖するゲートバーと、から構成されていることを特徴とする。
この構成によれば、本コンベックス用フックの一端に備えられたフック部が、例えば作業員の腰ベルト等の取付金具に対して、ゲートバーを開きながら装着することにより、コンベックスが容易に作業員の腰ベルト等の取付金具に着脱可能に取り付けられ得る。
【００２１】
本発明によるコンベックス用フックは、好ましくは、挟持部が、前記他端に向かって肉薄になるように傾斜して形成されていることを特徴とする。
この構成によれば、本コンベックス用フックをコンベックスのベルトクリップに装着した状態において、挟持部の傾斜した部分が、ベルトクリップの内面に当接することになり、この当接によって、挟持部がベルトクリップに対してガタツキなく確実に保持され得ることになる。
【００２２】
本発明によるコンベックス用フックは、好ましくは、挟持部が、複数種類の幅の異なるベルトクリップに対応して、横方向に関して両側から内側に向かって段階的に薄くなるように形成された少なくとも一組の段部を備えていることを特徴とする。
この構成によれば、挟持部がコンベックスのベルトクリップを挟持する際に、ベルトクリップが、横方向に関して係合孔の内縁または何れかの段部により挟持されることによって、ベルトクリップが横方向に確実に保持され得るので、本コンベックス用フックがコンベックスのベルトクリップに対して横方向のガタツキが低減され得ることになる。
【００２３】
本発明によるコンベックス用フックは、好ましくは、ガラス繊維強化樹脂から構成されていることを特徴とする。
【００２４】
この構成によれば、本コンベックス用フックが非常に軽量に且つ強靱に構成されるので、比較的重いコンベックス本体であっても、その重さに耐えることが可能であると共に、コンベックス本体に対して本コンベックス用フックを取り付けた状態において、その追加重量は僅かである。
【発明の効果】
【００２５】
このようにして、本発明によれば、簡単な構成により、コンベックスにガタツキなしに取り付けることが出来るので、恰もコンベックス自体に開閉可能なフックが付随しているかのように使うことが出来る。これにより今まで引っ掛けることが出来なかったベルトループや腰ベルトのＤ環やループ、環状になった工具フック(工具差し)、等、環状になったものならどこにでも引っ掛けて持ち運ぶことが出来る。また、取り外しが簡単で使いたいときにすぐ使用することが出来る。このような特徴を市販のベルトクリップ付きコンベックスのほとんどすべてに提供することが出来る。
【図面の簡単な説明】
【００２６】
【図１】本発明によるコンベックス用フックの一実施形態の構成を示す正面図である。
【図２】図１のコンベックス用フックを示す右側面図である。
【図３】図１のコンベックス用フックを示す平面図である。
【図４】図１のコンベックス用フックを示す背面図である。
【図５】図１のコンベックス用フックを示す左側面図である。
【図６】図１のコンベックス用フックを示す一部破断左側面図である。
【図７】図１のコンベックス用フックの各種コンベックスに取り付けられた幅の異なる大型，中型及び小型のベルトクリップの係合状態を示す正面図である。
【図８】本発明によるコンベックス用フックをコンベックスに取り付けた状態を示す図である。
【図９】本発明によるコンベックス用フックを作業員の腰ベルトに備えられたＤ環等の円環状取付金具に通した状態を示す図である。
【図１０】本発明によるコンベックス用フックの全体構成を示す図である。
【発明を実施するための形態】
【００２７】
以下、図面に示した実施形態に基づいて本発明を詳細に説明する。
図１〜図５は、本発明によるコンベックス用フックの一実施形態の構成を示している。
図１〜図５において、コンベックス用フック１０は、全体が平坦に且つ長手方向（図１にて上下方向）に延びるように形成されたた本体１１と、本体１１の一端１１ａ（図１にて上端）に備えられたフック部２０と、他端１１ｂ（図１にて下端）に備えられた係合部３０と、から構成されている。
【００２８】
フック部２０は、本体１１の外周縁に沿うように環状に形成されたフック本体２１と、このフック本体２１の一側（図１にて右側）に設けられた開放部２２と、開放部２２を閉じるように内側に揺動可能に支持されたゲートバー２３と、から構成されている。
フック本体２１は、例えばガラス繊維強化樹脂から成形されており、強靱且つ軽量に構成されている。
ゲートバー２３は、開放部２２の下側で、図１にて矢印Ａで示すように、内側に向かって揺動可能に支持されている。
【００２９】
具体的には、ゲートバー２３は、例えばバネ性を有する一本の細長い棒状材料から成り、図１及び図２に示すように、中央部２３ａから同じ方向に延びるように屈曲され、その両端２３ａ，２３ｂが互いに内側に向くようにほぼ直角に折り曲げられて、本体１１の両面からそれぞれ貫通孔１１ｃ及び１１ｄに挿通されている。
ここで、二つの貫通孔１１ｃ及び１１ｄは、互いに長手方向に離反して且つ一方の貫通孔１１ｃが他方の貫通孔１１ｄに対して、図１にて上方に且つ僅かに内側にずれた位置に設けられている。
【００３０】
これにより、ゲートバー２３は、図示の閉鎖位置から、矢印Ａ方向に揺動可能であると共に、矢印Ａとは逆方向に弾性が作用して、閉鎖位置に向かって付勢されている。
【００３１】
なお、本体１１は、図１にてゲートバー２３とは反対側の側縁に、凹部１１ｅを備えており、作業者がゲートバー２３を内側に向かって例えば親指で押動する際に、人指し指等を凹部１１ｅ内に位置させることにより、安定した状態でゲートバー２３を開放することができるようになっている。
【００３２】
このようにして、フック部２０は、一般的なゲートバー式のフックと同様に構成されており、ゲートバー２３を開いて、例えばＤ環等の円環状または環状の部分に通した状態で、ゲートバー２３から手を離すことにより、ゲートバー２３が開放部２２を閉鎖して、フック部２０そしてコンベックス用フック１０が、吊り下げられ得る。
【００３３】
係合部３０は、本体１１の他端１１ｂ側にて、本体１１の外周縁を枠とする係合孔３１と、係合孔３１を横方向（図１にて左右方向）に横切るように形成された挟持部３２と、から構成されている。
これにより、係合孔３１は、挟持部３２により、二つの係合孔３１ａ及び３１ｂに分割されている。
係合孔３１ａは、フック部２０寄りの一端１１ａ側（図１にて上側）に位置し、また係合孔３１ｂは、他端１１ｂ側（図１にて下側）に位置している。
【００３４】
挟持部３２は、断面がほぼ円形に形成されていると共に、横方向両側にて、二組の段部３２ａ，３２ｂを備えている。
ここで、挟持部３２は、コンベックスに取り付けられたベルトクリップが通過し得る程度の（図１にて紙面に垂直な方向、図２にて左右方向の）厚さに選定されている。
【００３５】
第一組の段部３２ａは、係合孔３１ｂの両側縁から横方向内側に向かって所定距離ｄ１だけ突出していると共に、挟持部３２から本体１１の他端１１ｂに向かって徐々に肉薄になるように傾斜して形成されている。
また、第二組の段部３２ｂは、第一組の段部３２ａから横方向内側に向かって所定距離ｄ２だけ突出していると共に、挟持部３２から本体１１の他端１１ｂに向かって徐々に肉薄になるように傾斜して形成されている。
【００３６】
さらに、挟持部３２は、第二組の段部３２ｂの横方向内側にて、本体１１の他端側１１ｂに向かって徐々に先細になるように例えば紡錘形断面を備えている。
これら第一組の段部３２ａ，第二組の段部３２ｂ及び挟持部３２の下端は、それぞれ図６に示すように、長手方向の距離が順次に短くなるように形成されている。
【００３７】
ここで、係合部３０の係合孔３１ｂ内において、係合孔３１ｂの内壁，第一組の段部３２ａ及び第二組の段部３２ｂの間に画成される間隙Ｄ１，Ｄ２及びＤ３は、それぞれ一般的なベルトクリップ付きコンベックスにおけるベルトクリップの幅に対応して選定されている。
【００３８】
即ち、間隙Ｄ１は、小型のベルトクリップの幅に対応しており、間隙Ｄ２は、中型のベルトクリップの幅に対応しており、間隙Ｄ３は、大型のベルトクリップの幅に対応している。
このようにして、三段階の間隙Ｄ１，Ｄ２及びＤ３を設定することによって、多様な大きさのベルトクリップに対応できるようになっている。
なお、第一組の段部３２ａ及び第二組の段部３２ｂは、図１及び図４に示すように、それぞれ挟持部３２の反対側（本体１１の一端１１ａ側）にも回り込んで形成されている。
【００３９】
本発明によるコンベックス用フック１０は、以上のように構成されており、例えば中型の板バネ製ベルトクリップを備えたコンベックス４０に対して装着する場合、まずコンベックス４０のベルトクリップ４１の先端を持ち上げる（コンベックス４０の側面から離反させる）と共に、ベルトクリップ４１の先端をコンベックス用フック１０の係合部３０の係合孔３１ａに、裏側（図５の左方）から挿入して、ベルトクリップ４１をコンベックス用フック１０に対して相対的に長手方向の本体１１の他端１１ｂ側に押動する。
【００４０】
これにより、ベルトクリップ４１の先端は、第二組の段部３２ｂの斜面を摺動して、ベルトクリップ４１の根元部分が挟持部３２の本体１１の一端１１ａ側に当接して、図６に示すように、ベルトクリップ４１が挟持部３２を表面及び裏面から挟持して保持する。
【００４１】
この状態において、ベルトクリップ４１は、図７にて一点鎖線で示すように、その横方向の両側縁が、係合部３２の第一の段部３２ａの内側面により挟持されることになり、三軸方向に関して挟持され、保持されるので、コンベックス用フック１０は、ベルトクリップ付きコンベックス４０に対してガタツキなく確実に保持され得る。図８は、このコンベックス用フック１０をコンベックス４０に取り付けた状態を示す。
【００４２】
このようにしてコンベックス用フック１０が装着されたベルトクリップ付きコンベックス４０は、コンベックス用フック１０のフック部２０が、例えば、図９に示すように、作業員の腰ベルトに備えられたＤ環等の円環状取付金具に、通されることにより、容易に且つ着脱可能に作業員の腰ベルト等に吊り下げることが可能である。
【００４３】
コンベックス用フック１０をベルトクリップ付きコンベックス４０から取り外す場合には、図６及び図７の状態から、ベルトクリップ４１をコンベックス用フック１０に対して相対的に本体１１の一端１１ａ側に押動する。
【００４４】
これにより、ベルトクリップ４１の両側縁は、第一組の段部３２ａの斜面に沿って摺動し、それに伴ってベルトクリップ４１の先端が持ち上げられることにより、ベルトクリップ４１の先端は、容易に挟持部３２を越えて係合孔３１ａ内に退避し、挟持部３２から外れることになる。
【００４５】
大型ベルトクリップ付きコンベックスの場合には、そのベルトクリップ４１ａは、同様に挟持部３２を表面及び裏面から挟持すると共に、図７に示すように、係合孔３１ｂ内にて、その内側面により挟持される。これにより、大型ベルトクリップの場合にも、横方向に関してガタツキが低減されることになる。
【００４６】
これに対して、小型ベルトクリップ付きコンベックスの場合には、そのベルトクリップ４１ｂは、同様に挟持部３２を表面及び裏面から挟持すると共に、図７に示すように、係合孔３１ｂ内にて、第二組の段部３２ｂの内側面により挟持される。これにより、小型ベルトクリップの場合にも、横方向に関してガタツキが低減されることに成る。
【００４７】
なお、図１０に、上記した本発明の実施形態に係るコンベックス用フックの全体構成が明確になるように六面図を示した。即ち、図１０（ａ）は、コンベックス用フックの平面図であり、図１０（ｂ）は、コンベックス用フックの正面図であり、図１０（ｃ）は、コンベックス用フックの底面図であり、図１０（ｄ）は、コンベックス用フックの左側面図であり、図１０（ｅ）は、コンベックス用フックの右側面図である。図１０（ｆ）は、コンベックス用フックの背面図である。
【００４８】
本発明はその趣旨を逸脱しない範囲において様々な形態で実施することができる。
例えば、上述した実施形態においては、本体１１に凹部１１ｅが備えられているが、これに限らず、凹部１１ｅは省略されてもよい。
また、上述した実施形態においては、フック部２０は、このような構成に限定されることなく、例えばカラビナ状のフック部として構成されていてもよいことは明らかである。
【符号の説明】
【００４９】
１０    コンベックス用フック
１１    本体
１１ａ  一端
１１ｂ  他端
１１ｃ，１１ｄ  貫通孔
１１ｅ  凹部
２０    フック部
２１    フック本体
２２    開口部
２３    ゲートバー
３０    係合部
３１，３１ａ，３１ｂ  係合孔
３２    挟持部
３２ａ  第一組の段部
３２ｂ  第二組の段部
【図１】
2020026978.tif 000003
【図２】
2020026978.tif 000004
【図３】
2020026978.tif 000005
【図４】
2020026978.tif 000006
【図５】
2020026978.tif 000007
【図６】
2020026978.tif 000008
【図７】
2020026978.tif 000009
【図８】
2020026978.tif 000010
【図９】
2020026978.tif 000011
【図１０】
2020026978.tif 000012